(57)【要約】      （修正有）【課題】底面の形状と寸法を変化させることのできる買物バッグを提供する。【解決手段】前身頃４と後身頃６を有する買物バッグ１において、前身頃４と後身頃６を構成する相対的に軟質の布と、前身頃４及び後身頃６の下側において、相対的に軟質の布に接着され、溶着され、或いは縫い付けられた複数の相対的に硬質の三角ピース１０であって、これらの三角ピース１０間の隙間１４が、該買物バッグ１の上下方向に等間隔に延びる複数の真直ぐな隙間１６、該上下方向と直交する横方向に等間隔に延びる複数の真直ぐな隙間、並びに該上下方向及び横方向に延びる複数の隙間によって画定されるべき四角形の対角線に沿って延びる複数の真直ぐな隙間となるように、概ね三角形の形状に形成された三角ピース１０とを備える。【選択図】図１
0003223199.tif 000002
【実用新案登録請求の範囲】
【請求項１】
前身頃と後身頃を有する買物バッグにおいて、
上記前身頃と後身頃を構成する相対的に軟質の布と、
上記前身頃及び後身頃の下側において、上記相対的に軟質の布に接着され、溶着され、或いは縫い付けられた複数の相対的に硬質の三角ピースであって、これらの三角ピース間の隙間が、該買物バッグの上下方向に等間隔に延びる複数の真直ぐな隙間、該上下方向と直交する横方向に等間隔に延びる複数の真直ぐな隙間、並びに該上下方向及び横方向に延びる複数の隙間によって画定されるべき四角形の対角線に沿って延びる複数の真直ぐな隙間となるように、概ね三角形の形状に形成された三角ピースと、
を備える、買物バッグ。
【請求項２】
該買物バッグの底面の長手方向に延びる中央線に沿って並べられた複数の第１の留め具と、
第１の留め具のいずれとも係合可能に構成された第２の留め具であって、上記中央線に沿って上記底面の両端ないし両端付近に設けられた２つの第２の留め具と、
をさらに備える、請求項１に記載の買物バッグ。
【請求項３】
該買物バッグの底面の短手方向に延びる両側辺と接続された該買物バッグの両側面の上下方向に延びる中央線に沿って並べられた複数の第１の留め具と、
第１の留め具のいずれとも係合可能に構成された第２の留め具であって、上記中央線に沿って上記両側面の下端ないし下端付近に設けられた２つの第２の留め具と、
をさらに備える、請求項１に記載の買物バッグ。
【請求項４】
第１の留め具が第１の磁性体であり、第２の留め具が第２の磁性体であることを特徴とする、請求項２又は請求項３に記載の買物バッグ。
【請求項５】
前身頃と後身頃を有する買物バッグにおいて、
上記前身頃と後身頃を構成する相対的に軟質の布と、
該買物バッグの底面の長手方向に延びる中央線の両端ないし両端付近に設けられ、上記相対的に軟質の布に接着され、溶着され、或いは縫い付けられた複数の相対的に硬質の三角ピースであって、これらの三角ピース間の隙間が、上記中央線に沿って延びる真直ぐな隙間、及び上記中央線と直交する方向に延びる隙間となるように、概ね三角形の形状に形成された三角ピースと、
上記中央線に沿って上記三角ピースよりも上記底面の中央寄りに並べられた２つの第１の磁性体と、
第１の磁性体と磁着可能に構成された第２の磁性体であって、上記中央線に沿って上記三角ピースよりも上記底面の両端寄りに並べられた２つの第２の磁性体と、
を備える、買物バッグ。
【請求項６】
第１の磁性体と第２の磁性体のうちの少なくとも一方が永久磁石であることを特徴とする、請求項４又は請求項５に記載の買物バッグ。
【請求項７】
上記三角形が直角二等辺三角形であることを特徴とする、請求項１〜６のいずれかに記載の買物バッグ。
【請求項８】
該買物バッグの前身頃の所定の箇所と後身頃の所定の箇所とが係着可能となるように、１つ又は複数の留め具が所定の箇所に設けられていることを特徴とする、請求項１〜７のいずれかに記載の買物バッグ。
【考案の詳細な説明】
【技術分野】
【０００１】
本考案は、買物バッグに関し、詳しくは、スーパーマーケットやコンビニエンスストアで弁当や寿司を購入した際に、弁当箱や寿司折りの矩形の形状に応じて、底面の形状と寸法を変化させることのできる買物バッグに関する。
【背景技術】
【０００２】
コンビニエンスストアやスーパーマーケットで買い物をする際に、その店からレジ袋が提供される。しかし、プラスチックごみの削減を目的として２０２０年にレジ袋の原則有料化が義務付けられることから、レジ袋を有料化する店が増えており、自分の買物袋（所謂マイバッグ）を使って買物をする人も増えている。
【０００３】
しかし、従来の買物袋の底面は、弁当箱や寿司折りの底面全体をカバーするほどの面積がないので、買物袋内で弁当箱や寿司折りが傾き、内容物が片寄ってしまうことがある。また、買物袋内にワインボトル等の細長い物品を収容した場合において、その細長い物品が買物袋内で転倒してしまうことがある。
【先行技術文献】
【特許文献】
【０００４】
【特許文献１】実用新案登録第３１１８７９８号公報
【特許文献２】実開昭５８−８２１１４号公報
【特許文献３】特許第４２０９９３０号公報
【考案の概要】
【考案が解決しようとする課題】
【０００５】
コンビニエンスストア等で購入した食品の容器等の形状と寸法に応じて、底面の形状と寸法を容易に変化させてその形状を保つことのできる買物バッグを提供することを目的とする。さらには、買物バッグ内に細長い物品が収容されたときに、その物品が買物バッグ内で倒れてしまうことを防ぐことを目的とする。
【課題を解決するための手段】
【０００６】
本考案の一実施例においては、前身頃と後身頃を有する買物バッグにおいて、  上記前身頃と後身頃を構成する相対的に軟質の布と、上記前身頃及び後身頃の下側において、上記相対的に軟質の布に接着され、溶着され、或いは縫い付けられた複数の相対的に硬質の三角ピースであって、これらの三角ピース間の隙間が、該買物バッグの上下方向に等間隔に延びる複数の真直ぐな隙間、該上下方向と直交する横方向に等間隔に延びる複数の真直ぐな隙間、並びに該上下方向及び横方向に延びる複数の隙間によって画定されるべき四角形の対角線に沿って延びる複数の真直ぐな隙間となるように、概ね三角形の形状に形成された三角ピースと、を備える、買物バッグを提供する。
【０００７】
さらなる実施例においては、該買物バッグの底面の長手方向に延びる中央線に沿って並べられた複数の第１の留め具と、第１の留め具のいずれとも係合可能に構成された第２の留め具であって、上記中央線に沿って上記底面の両端ないし両端付近に設けられた２つの第２の留め具と、をさらに備える。
【０００８】
さらなる実施例においては、該買物バッグの底面の短手方向に延びる両側辺と接続された該買物バッグの両側面の上下方向に延びる中央線に沿って並べられた複数の第１の留め具と、第１の留め具のいずれとも係合可能に構成された第２の留め具であって、上記中央線に沿って両側面の下端ないし下端付近に設けられた２つの第２の留め具と、をさらに備える。
【０００９】
さらなる実施例においては、第１の留め具が第１の磁性体であり、第２の留め具が第２の磁性体であることを特徴とする。他の実施例においては、第１及び第２の留め具として、ボタンホック、面ファスナ等の周知の留め具が使用される場合もある。
【００１０】
さらなる実施例においては、第１の留め具はボタンホックの雄側及び雌側のうちの一方であり、第２の留め具はボタンホックの雄側及び雌側のうちの他方であることを特徴とする。
【００１１】
本考案の他の実施例においては、前身頃と後身頃を有する買物バッグにおいて、上記前身頃と後身頃を構成する相対的に軟質の布と、該買物バッグの底面の長手方向に延びる中央線の両端ないし両端付近に設けられ、上記相対的に軟質の布に接着され、溶着され、或いは縫い付けられた複数の相対的に硬質の三角ピースであって、これらの三角ピース間の隙間が、上記中央線に沿って延びる真直ぐな隙間、及び上記中央線と直交する方向に延びる隙間となるように、概ね三角形の形状に形成された三角ピースと、上記中央線に沿って上記三角ピースよりも上記底面の中央寄りに並べられた２つの第１の磁性体と、第１の磁性体と磁着可能に構成された第２の磁性体であって、上記中央線に沿って上記三角ピースよりも上記底面の両端寄りに並べられた２つの第２の磁性体と、を備える、買物バッグを提供する。
【００１２】
他の実施例においては、第１の磁性体と第２の磁性体のうちの少なくとも一方が永久磁石であることを特徴とする。
【００１３】
さらに他の実施例においては、上記三角形が直角二等辺三角形であることを特徴とする。
【００１４】
さらに他の実施例においては、該買物バッグの前身頃の所定の箇所と後身頃の所定の箇所とが係着可能となるように、１つ又は複数の留め具が所定の箇所に設けられていることを特徴とする。
【図面の簡単な説明】
【００１５】
【図１】本考案の一実施例における買物バッグを示す図。
【図２】図１に示した買物バッグが変形されたときを示す図。
【図３】他の実施例における買物バッグを示す図。
【図４】図２に示した買物バッグが変形されたときを示す図。
【図５】ワイン等の細長い物品を収容した買物バッグを示す図。
【図６】買物バッグが折り畳まれてポーチの形態となることを説明する図。
【図７】磁性体と三角ピースが設けられた底面を有する買物バッグを示す図。
【図８】底面に磁性体が設けられた買物バッグを示す図。
【図９】底面に磁性体が設けられた買物バッグが畳まれたときを示す図。
【図１０】両側面に磁性体が設けられた買物バッグを示す図。
【図１１】両側面に磁性体が設けられた買物バッグが畳まれたときを示す図。
【図１２】ワイン等の細長い物品を収容している買物バッグを示す図。
【図１３】買物バッグの折り畳み方の一例を示す図。
【図１４】買物バッグからポーチの形態へ変形される様子を示す図。
【考案を実施するための形態】
【００１６】
図１は、本考案の一実施例における可変式の買物バッグ１を示す。買物バッグ１の上部に手提げ用の持ち手２が設けられ、買物バッグ１の正面側にある前身頃４と、買物バッグ１の背面側となる後身頃６と、を備えている。図１（ａ）は、買物バッグ１の正面図であり、図１（ｂ）は買物バッグ１の側面図であり、図１（ｃ）は買物バッグ１の底面図である。また、図１（ｄ）及び図１（ｅ）は、複数の三角ピース１０と、三角ピース１０間の隙間１４を拡大して示す図である。
【００１７】
図１（ａ）に示される実施例においては、買物バッグ１の前身頃４及び後身頃６を構成する相対的な軟質の布に、複数の相対的に硬質の三角ピース１０が接着され、溶着され、或いは縫い付けられている。一実施例においては、これらの三角ピース１０は、ポリ塩化ビニル等の硬質な材料から形成されている。
【００１８】
本考案の一実施例においては、前身頃と後身頃を有する買物バッグ１が、前身頃と後身頃を構成する相対的に軟質の布と、該布の下側において、該買物バッグの上下方向に等間隔に延びる複数の真直ぐな隙間、該上下方向と直交する横方向に等間隔に延びる複数の真直ぐな隙間、並びに該上下方向及び横方向に延びる複数の隙間が画定する四角形の対角線に沿って延びる複数の真直ぐな隙間によって複数の概ね三角形の形状の領域が画定されるように、該複数の概ね三角形の形状の領域をほぼ覆いつつ上記軟質の布に接着され、溶着され、或いは縫い付けられた複数の相対的に硬質の三角ピース１０と、を備える。換言すれば、図１（ｄ）の拡大図に示されるように、４つの相対的に硬質な概ね三角形の形状の三角ピース１０が頂角を突き合わせつつ、買物バッグ１の前身頃４及び後身頃６を構成する相対的な軟質の布に重ね合されるように配置されるとともに、これらの三角ピース１０は、ほぼ同じ幅の隙間１４を空けつつ接着され、溶着され、或いは縫い付けられている。一実施例においては、これらの三角ピース１０間に、５ｍｍ〜１０ｍｍ程度の隙間が空いている。他の実施例においては、三角ピース１０間に、５ｍｍ未満の隙間が空いている場合もあれば、三角ピース１０間に、１０ｍｍ以上の適切な隙間が空いている場合もある。
【００１９】
図１（ｅ）の拡大図に示されるように、複数の相対的に硬質な三角ピース１０間に隙間を有するように、４つの三角ピース１０によって構成される正方形１２どうしが等間隔の隙間１６を空けつつ縦方向と横方向に整列するように配置されているため、収容物に応じた寸法の襠（まち）を形成することができる。
【００２０】
図２は、図１（ａ）に示した買物バッグ１の底面８に平底が画定されることを説明する図である。図２（ａ）〜（ｃ）に示されるように、買物バッグ１の底面８に底面サイズＩの平底が画定されるのは、図１（ａ）に示した買物バッグ１内に、底面サイズＩとほぼ同じ寸法の底面を有する物品が収容されたときである。図２（ｄ）〜（ｆ）に示されるように、買物バッグ１の底面８に底面サイズＩＩの平底が画定されるのは、図１（ａ）に示した買物バッグ１内に、底面サイズＩＩとほぼ同じ寸法の底面を有する物品が収容されたときである。
【００２１】
図２（ａ）は、底面サイズＩとほぼ同じ寸法の底面８を有する物品を収容しているときの買物バッグ１の正面図であり、図２（ｂ）は買物バッグ１の側面図であり、図２（ｃ）は買物バッグ１の底面図である。図２（ｃ）の底面の短手方向の寸法の方が、図１（ｂ）に示した底面の短手方向の寸法よりも長くなっている一方で、図２（ｃ）の底面の長手方向の寸法は、図１（ｃ）に示した底面の長手方向の寸法よりも短くなっていることに留意されたい。
【００２２】
図２（ｄ）は、底面サイズＩＩとほぼ同じ寸法の底面８を有する物品が収容されているときの買物バッグ１の正面図であり、図２（ｅ）は買物バッグ１の側面図であり、図２（ｆ）は買物バッグ１の底面図である。図２（ｆ）に示される底サイズＩＩの底面８の短手方向の寸法の方が、図２（ｃ）に示した底サイズＩの底面８の短手方向の寸法よりも長くなっている一方で、図２（ｆ）に示される底サイズＩＩの底面８の長手方向の寸法は、図２（ｃ）に示した底サイズＩの底面８の長手方向の寸法よりも短くなっている。
【００２３】
図３（ａ）に示される買物バッグ１においては、該買物バッグ１の底面８に沿って複数のボタンホック２６の雄側と雌側が設けられている。一実施例においては、底面８の両端ないし両端付近にボタンホック２６の雄側２６２が配置されているとともに、これら２つの雄側２６２を結ぶ直線上に、ボタンホック２６の雌側２６４，２６６，２６８が並べられている。買物バッグ１の使用者が、これらのボタンホック２６の雄側と雌側を係合させることにより、買物バッグ１の底面８に画定される四角形の形状の平底が型崩れしにくくなる。
【００２４】
図３（ａ）は買物バッグ１の正面図であり、図３（ｂ）は買物バッグ１の側面図であり、図３（ｃ）は買物バッグ１の底面図である。一実施例においては、図３（ｃ）に示されるように、ボタンホック２６の複数の雌側２６４，２６６，２６８は、２つの雄側２６２どうしを結ぶ線分の垂直二等分線に関して線対称となる位置に配置される。
【００２５】
図３（ｄ）は、図３（ａ）に示した買物バッグ１の下側を拡大して示している。買物バッグ１の使用者が、その雌側２６４，２６６，２６８のいずれかと雄側２６２とを結ぶ線分の垂直二等分線に沿って底面８を折り返すことにより、底面８の長手方向の両端に配置されているボタンホック２６の雄側２６２を矢印Ａ，Ｂ，Ｃのうちのいずれかの方向へ動かして、ボタンホック２６の雌側２６４，２６６，２６８のうちの１つと嵌合させると、買物バッグ１の底面８に、矩形の形状の弁当箱や寿司折りを収容するのに適した寸法の矩形の平底が画定される。
【００２６】
図４（ａ）〜（ｃ）に示される買物バッグ１においては、該買物バッグ１の底面８のボタンホック２６の雄側２６２と雌側２６４とが嵌合され、底面８に矩形の平底が画定されている。このときに、図４（ｃ）の底面の短手方向の寸法の方が、図３（ｃ）に示した底面８の短手方向の寸法よりも長くなっている一方で、図４（ｃ）の底面８の長手方向の寸法は、図３（ｃ）に示した底面８の長手方向の寸法よりも短くなっている。
【００２７】
図４（ｄ）〜（ｆ）に示される買物バッグ１においては、該買物バッグ１の底面８のボタンホック２６の雄側２６２と雌側２６８とが嵌合され、底面８に矩形の平底が画定されている。このときに、図４（ｆ）の底面８の短手方向の寸法の方が、図４（ｃ）に示した底面８の短手方向の寸法よりも長くなっている一方で、図４（ｆ）の底面８の長手方向の寸法は、図４（ｃ）に示した底面８の長手方向の寸法よりも短くなっている。
【００２８】
図５（ａ）に示される実施例においては、買物バッグ１の前身頃４の所定の箇所と後身頃６の所定の箇所とが係着可能となるように、１つ又は複数の留め具１８が所定の箇所に設けられている。図５（ｂ）に示されるように、買物バッグ１内へワインボトル等の細長い物品２０を収容する際に、留め具１８を係着すれば、係着された箇所がストッパーとして機能して、細長い物品２０が転倒することが防止される。さらには、紐２２を使って買物バッグ１の上部開口を閉塞させることができる。
【００２９】
図６は、買物バッグ１が折り畳まれてポーチの形態にされることを示している。図６（ａ）に示される実施例においては、買物バッグ１は、前身頃４の中央付近にポケット２４を有する。図６（ｂ）は、買物バッグ１の表側と裏側とが反転されつつ、買物バッグ１の概ね全体がポケット２４内へ折り畳まれた状態を示す。折り畳まれた後さらに、図６（ｃ）に示されるように、面ファスナ２８を使って纏められてポーチの形態にされる場合もあれば、図６（ｄ）に示されるように、面ファスナ２８と紐３０を使って纏められてポーチの形態にされる場合もある。
【００３０】
図７（ａ）〜（ｅ）に示される本考案の他の実施例における買物バッグ５０を示す。図７（ａ）は買物バッグ５０の外側を示す。図７（ｂ）は買物バッグ５０の内側を示す。この実施例における買物バッグ５０は、前身頃５４と後身頃５６を構成する相対的に軟質の布と、該買物バッグ５０の底面の長手方向に延びる中央線５８の両端ないし両端付近に設けられ、相対的に軟質の布に接着され、溶着され、或いは縫い付けられた複数の相対的に硬質の三角ピース５１０であって、これらの三角ピース５１０間の隙間が、中央線５８に沿って延びる真直ぐな隙間、及び上記中央線と直交する方向に延びる隙間となるように、概ね三角形の形状に形成された三角ピース５１０と、中央線５８に沿って三角ピース５１０よりも底面の中央寄りに並べられた２つの第１の磁性体５１２４と、第１の磁性体５１２４と磁着可能に構成された第２の磁性体５１２２であって、中央線５８に沿って三角ピース５１０よりも底面の両端寄りに並べられた２つの第２の磁性体５１２２と、を備える。図７（ａ）〜（ｅ）に示される買物バッグ５０においては、三角ピース５１０と磁性体５１２２，５１２４が買物バッグ５０の内側底面上に設けられているが、他の実施例においては、三角ピース５１０と磁性体５１２２，５１２４が買物バッグ５０の底面の内側の布と外側の布との間の位置に設けられる場合もある。
【００３１】
図８に示される買物バッグ６０においては、底面８の長手方向に延びる中央線６８に沿って、第１の磁性体６１２４，６１２６が設けられている。さらには、第１の磁性体６１２４，６１２６のいずれとも磁着可能に構成された第２の磁性体６１２２が、底面８の長手方向の両端ないし両端付近に設けられている。図８に示されている破線に沿って買物バッグ６０の底面８が折り返されて、第２の磁性体６１２２が第１の磁性体６１２４，６１２６のいずれかと磁着すると、買物バッグ６０の底面８に矩形の平底が画定される。
【００３２】
図９は、図８に示した買物バッグ６０の底面８に、様々な寸法の平底が画定され得ることを説明する図である。図９（ａ）〜（ｃ）は、底面の長手方向の両端に配置されている第２の磁性体６１２２が図８の矢印Ｄ方向へ動かされて、第１の磁性体６１２４と第２の磁性体６１２２が互いに磁着して底面８に矩形の平底が画定されたときの買物バッグ６０を示している。図９（ａ）は買物バッグ６０の正面図であり、図９（ｂ）は買物バッグ６０の側面図である。
【００３３】
図９（ｄ）〜（ｆ）は、底面の長手方向の両端に配置されている第２の磁性体６１２２が図８の矢印Ｅ方向へ動かされて、第１の磁性体６１２６と第２の磁性体６１２２が互いに磁着して底面８に矩形の平底が画定されたときの買物バッグ６０を示している。図９（ｅ）は買物バッグ６０の側面図である。第１の磁性体６１２６と第２の磁性体６１２２とが互いに磁着したときには、図９（ｆ）に示される底面８の短手方向の寸法の方が、図９（ｃ）に示した底面８の短手方向の寸法よりも長くなる一方で、図９（ｆ）に示される底面８の長手方向の寸法は、図９（ｃ）に示した底面８の長手方向の寸法よりも短くなる。
【００３４】
図１０及び図１１に示される買物バッグ７０においては、底面８の短手方向に延びる側辺に接続された買物バッグ７０の両側面７８の上下方向に延びる中央線７１０に沿って第１の磁性体７１４３，７１４４，７１４６が並べられている（図１０に示される矢印Ｆ，Ｇ，Ｈの先にある）。さらには、これらの第１の磁性体７１４３，７１４４，７１４６のいずれとも磁着可能に構成された第２の磁性体７１４２が、両側面７８の下端ないし下端付近に設けられている。
【００３５】
例えば図１０に示される買物バッグ７０において、第１の磁性体７１４４と、第２の磁性体７１４２とを結ぶ線分の垂直二等分線に沿って側面７８が矢印Ｇ方向へ折り返されて、第１の磁性体７１４４と第２の磁性体７１４２が互いに磁着したときに、買物バッグ７０の底面８に矩形の平底が画定される。詳しくは、買物バッグ７０の第１の磁性体７１４４と第２の磁性体７１４２が互いに磁着したときには、買物バッグ７０の底面８に、図１１（ｃ）に示されるような矩形の平底が画定される。図１１（ａ）はそのときの買物バッグ７０の正面図であり、図１１（ｂ）は買物バッグ７０の側面図である。
【００３６】
また、第１の磁性体７１４６と、第２の磁性体７１４２とを結ぶ線分の垂直二等分線に沿って両側面７８が矢印Ｈ方向へ折り返されて、第１の磁性体７１４６と第２の磁性体７１４２とが磁着したときに、買物バッグ７０の底面８に別の寸法の矩形の平底が画定される。第１の磁性体７１４６と第２の磁性体７１４２が互いに磁着したときには、買物バッグ７０の底面８に、図１１（ｆ）に示されるような矩形の平底が画定される。図１１（ｄ）はそのときの買物バッグ７０の正面図であり、図１１（ｅ）は買物バッグ７０の側面図である。図１１（ｆ）に示される底面８の短手方向の寸法の方が、図１１（ｃ）に示した底面８の短手方向の寸法よりも長い一方で、図１１（ｆ）に示される底面６８の長手方向の寸法は、図１１（ｃ）に示した底面８の長手方向の寸法よりも短い。
【００３７】
図１２は、買物バッグ５０がワインボトル等の細長い物品５１６を収容している状態を示す。図１２（ａ）に示される実施例においては、買物バッグ５０の前身頃５４の所定の箇所と後身頃５６の所定の箇所とが係着可能となるように、１つ又は複数の留め具５１４が所定の箇所に設けられている。図１２（ｂ）に示されるように、ワインボトル等の細長い物品５１６が買物バッグ５０に収容されているときに留め具５１４が係着されると、係着された箇所が物品５１６のストッパーとして機能し、物品５１６が買物バッグ５０内で倒れることを防ぐことができる。一実施例においては、買物バッグ５０の上部に紐５１８が設けられており、この紐５１８で買物バッグ５０の開口を塞ぐことができる。
【００３８】
図１３は、買物バッグ５０の折り畳み方の一例を説明する図である。最初に、図１３（ａ）に示される二点鎖線に沿って買物バッグ５０の前身頃５４が内側（図１３（ａ）に示される矢印方向）へ折り畳まれる。次に、買物バッグ５０の上側と下側が中央へ向けて（図１３（ｂ）に示される矢印方向）丸められる。そして、図１３（ｃ）に示されるように、紐５１８を使ってコンパクトに纏められる。
【００３９】
図１４（ａ）に示される買物バッグ５０の内側には、内ポケット５５が設けられている。このような内ポケット５５を有する場合には、買物バッグ５０の内側と外側とを反転させつつ内ポケット５５以外の部分を内ポケット５５内へ収納させるように折り畳むことにより、買物バッグ５０からポーチの形態へ変形させることができる（図１４（ｂ）を参照）。
【符号の説明】
【００４０】
１…買物バッグ
２…持ち手
４…前身頃
６…後身頃
８…底面
１０…三角ピース
１２…正方形
１４…隙間
１６…隙間
１８…留め具
２０…細長い物品
２２…紐
２４…ポケット
２６…ボタンホック
２８…面ファスナ
２６２…雄側
２６４…雌側
２６６…雌側
２６８…雌側
３０…紐
５０…買物バッグ
５２…持ち手
５４…前身頃
５５…内ポケット
５７…買物バッグの内側
５６…後身頃
５８…（底面の）中央線
５９…内ポケット
５１０…三角ピース
５１４…留め具
５１６…細長い物品
５１８…紐
５１２２…磁性体
５１２４…磁性体
５１２６…磁性体
６０…買物バッグ
６２…手提げ（把持部）
６４…前身頃
６６…後身頃
６８…底面の中央線
６１８…紐
６１２２…磁性体
６１２４…磁性体
６１２６…磁性体
７０…買物バッグ
７２…持ち手
７４…前身頃
７６…後身頃
７８…側面
７１０…（底面の）中央線
７１２…側辺
７１４２…（第２の）磁性体
７１４３…（第１の）磁性体
７１４４…（第１の）磁性体
７１４６…（第１の）磁性体
【図１】
0003223199.tif 000003
【図２】
0003223199.tif 000004
【図３】
0003223199.tif 000005
【図４】
0003223199.tif 000006
【図５】
0003223199.tif 000007
【図６】
0003223199.tif 000008
【図７】
0003223199.tif 000009
【図８】
0003223199.tif 000010
【図９】
0003223199.tif 000011
【図１０】
0003223199.tif 000012
【図１１】
0003223199.tif 000013
【図１２】
0003223199.tif 000014
【図１３】
0003223199.tif 000015
【図１４】
0003223199.tif 000016
【手続補正書】
【提出日】令和1年7月25日(2019.7.25)
【手続補正１】
【補正対象書類名】実用新案登録請求の範囲
【補正対象項目名】全文
【補正方法】変更
【補正の内容】
【実用新案登録請求の範囲】
【請求項１】
前身頃と後身頃を有する買物バッグにおいて、
上記前身頃と後身頃を構成する相対的に軟質の布と、
該買物バッグの底面の長手方向に延びる中央線の両端ないし両端付近に設けられ、上記相対的に軟質の布に接着され、溶着され、或いは縫い付けられた複数の相対的に硬質の三角ピースであって、これらの三角ピース間の隙間が、上記中央線に沿って延びる真直ぐな隙間、及び上記中央線と直交する方向に延びる隙間となるように、概ね三角形の形状に形成された三角ピースと、
上記中央線に沿って上記三角ピースよりも上記底面の中央寄りに並べられた２つの第１の磁性体と、
第１の磁性体と磁着可能に構成された第２の磁性体であって、上記中央線に沿って上記三角ピースよりも上記底面の両端寄りに並べられた２つの第２の磁性体と、
を備える、買物バッグ。
【請求項２】
第１の磁性体と第２の磁性体のうちの少なくとも一方が永久磁石であることを特徴とする、請求項１に記載の買物バッグ。
【請求項３】
上記三角形が直角二等辺三角形であることを特徴とする、請求項１又は請求項２に記載の買物バッグ。
【請求項４】
該買物バッグの前身頃の所定の箇所と後身頃の所定の箇所とが係着可能となるように、１つ又は複数の留め具が所定の箇所に設けられていることを特徴とする、請求項１〜３のいずれかに記載の買物バッグ。